(57)【要約】【課題】  簡易な構成で利用者の視覚に訴える二方口エレベータの戸開案内装置を得る。【解決手段】かご室３内の前方から後方に沿って設けられ、前方から後方に順次発光可能な第1発光器１０と、かご室３内の前方から後方に沿って設けられ、後方から前方に順次発光可能な第２発光器２０と、かご１が停止する目的階の停止手前で発生する前方戸開予告信号に基づいて第１発光器１０の第１周囲部１４を順次発光させると共に、かご１が停止する目的階の停止手前で発生する後方戸開予告信号に基づいて第２発光器２０の第２周囲部２４を順次発光させる制御部１００と、を備えたものである。【選択図】      図１
2010137928.tif 000002
【特許請求の範囲】
【請求項１】
エレベータのかごのドアが前方及び後方に開閉可能な二方向口エレベータの戸開案内装置において、
前記かご内の前方から後方に沿って設けられると共に、前方から後方に順次発光可能な第1発光手段と、
前記かご内の前方から後方に沿って設けられると共に、後方から前方に順次発光可能な第２発光手段と、
前記かごが停止する目的階の停止手前で発生する前方戸開予告信号に基づいて前記第１発光手段を順次発光すると共に、前記かごが停止する目的階の停止手前で発生する後方戸開予告信号に基づいて前記第２発光手段を順次発光させる制御手段と、
を備えたことを特徴とする二方口エレベータの戸開案内装置。
【請求項２】
前記第１発光手段と前記第２発光手段とを一体化した第３発光手段とした、
ことを特徴とする請求項１に記載の二方口エレベータの戸開案内装置。
【請求項３】
前記第１発光手段から第３発光手段の外形は、少なくとも二つの先端部のうち一つが矢印形状である、
ことを特徴とする請求項１又は２に記載の二方口エレベータの戸開案内装置。
【請求項４】
前記第１発光手段から前記第３発光手段は、中央部と、縁と該中央部とが囲まれた周囲部と、
を備えたことを特徴とする請求項１から３のいずれかに記載の二方口エレベータの戸開案内装置。
【発明の詳細な説明】
【技術分野】
【０００１】
本発明は、二方口エレベータの戸開案内装置に関するものである。
【背景技術】
【０００２】
従来の二方口エレベータの戸開案内装置は、下記特許文献１に記載のように、かご室に二つの出入り口と、これを開閉する戸とを有すると共に、前記かご室の乗客に対してアナウンスするエレベータの音声誘導装置において、所定のアナウンスの内容を記憶する音声記憶部と、発生部から前記アナウンスを発すると共に、指向性を有する音声案内手段と、該音声案内手段を上下、回動自在に駆動する駆動機構と、前記かご室内の乗客を撮像した該撮像手段の撮像情報に基づいて前記乗客の顔の向きを求める第１画像処理手段と、前記顔の前面が、次の停止階おける前記かご室の開放する前記戸の方向を向いているか否かを判断する第１判断手段と、該第１判断手段が前記戸の方向を向いていないと判断すると、該向いていない前記乗客に対して前記音声案内手段の発生部を向けるように前記駆動機構を動作させる第１動作制御手段と、を備えたものである。
【０００３】
かかる二方口エレベータの戸開案内装置によれば、かご移動中にかご内の乗客の顔の向き等を検出し、次停止階の出口方向とは異なった方向を向いている特定の利用客に対し、適切なアナウンスをする。次停止階の出口方向とは異なった方向を向いている乗客に対し、適切なアナウンスすることにより、乗客に不便を感じさせることなくかご出口まで誘導できる
【０００４】
【特許文献１】特開２００７−１１９１０１号公報
【発明の開示】
【発明が解決しようとする課題】
【０００５】
しかしながら、上記二方口エレベータの戸開案内装置は、該音声案内手段を上下、回動自在に駆動する駆動機構と、かご室内の乗客を撮像した該撮像手段の撮像情報に基づいて前記乗客の顔の向きを求める第１画像処理手段を有するので、構成が複雑となっていた。
【０００６】
本発明は、上記のような課題を解決するためになされたもので、簡易な構成で利用者の視覚に訴える二方口エレベータの戸開案内装置を得ることを目的とする。
【課題を解決するための手段】
【０００７】
第１の発明に係る二方口エレベータの戸開案内装置は、エレベータのかごのドアが前方及び後方に開閉可能な二方向口エレベータの戸開案内装置において、前記かご内の前方から後方に沿って設けられると共に、前方から後方に順次発光可能な第1発光手段と、前記かご内の前方から後方に沿って設けられると共に、後方から前方に順次発光可能な第２発光手段と、前記かごが停止する目的階の停止手前で発生する前方戸開予告信号に基づいて前記第１発光手段を順次発光すると共に、前記かごが停止する目的階の停止手前で発生する後方戸開予告信号に基づいて前記第２発光手段を順次発光させる制御手段と、を備えたことを特徴とするものである。
二方口エレベータの戸開案内装置によれば、制御手段はかごが停止する目的階の停止手前で発生する前方戸開予告信号に基づいて第１発光手段を順次発光させると共に、後方戸開予告信号に基づいて第２発光手段を順次発光させるので、かご内の利用者が視覚により前方ドア又は後方ドアのいずれが開放するか容易に視認できると共に、戸開案内装置の構成が簡易となる。
【０００８】
第２の発明に係る二方口エレベータの戸開案内装置は前記第１発光手段と前記第２発光手段とを一体化した第３発光手段とする、ことが好ましい。
これにより、発光手段のかご室内への取り付けなどが簡易となる。
【０００９】
第３の発明に係る二方口エレベータの戸開案内装置における前記第１発光手段から第３発光手段の外形は、少なくとも二つの先端部のうち一つが矢印形状である、ことが好ましい。これにより、前方ドア又は後方ドアのいずれが開放可能か視覚により確認できるので、利便性が向上する。
【００１０】
第４の発明に係る二方口エレベータの戸開案内装置における前記第１発光手段から前記第３発光手段は、中央部と、縁と該中央部とが囲まれた周囲部と、を備えることが好ましい。これにより、例えば中央部をかご室内の照明とし、前方ドア又は後方ドアの開放案内と共に、かご室の照明を兼ねることができる。
【発明の効果】
【００１１】
本発明によれば、簡易な構成で利用者の視覚に訴える二方口エレベータの戸開案内装置を得ることができる。
【発明を実施するための最良の形態】
【００１２】
実施の形態１．
本発明の一実施の形態を図１によって説明する。図１は本発明の一実施の形態によるエレベータの二方口戸開案内装置の全体図である。
図１において、エレベータのかご１は、かご室３とかご側の前側ドア５と、かご側の後ろ側ドア７とを有する二方口と成っている。
かご室３の天井には、第１発光手段としての第１発光器１０と、第２発光手段としての第２発光器２０とが取り付けられており、第１発光器１０は、前側ドア５の方に向かって矢印形状に形成されていて、長方形の第１中央部１２，第１中央部１２と縁との間に第１周囲部１４とが設けられ、第１中央部１２には、白色発光ダイオード１２ａが多数設けられ、第１周囲部１４には、青色発光ダイオード１４ａが多数設けられている。
第２発光器２０には、後ろ側ドア７の方に向かって矢印形状に形成されていて、長方形の第２中央部２２，第２中央部２２と縁との間に第２周囲部２４とが設けられ、第２中央部２２には、白色発光ダイオード２２ａが多数設けられ、第２周囲部２４には、青色発光ダイオード２４ａが多数設けられている。
【００１３】
さらに、エレベータには、前側ドア５、後ろ側ドア７、第１発光器１０、第２発光器２０を制御する制御部１００が設けられている。
制御部１００は、前側ドア５の戸開又は戸閉めの第１戸開指令信号，第１戸閉め信号を発生する前方戸開閉制御部１０２と、後ろ側ドア７の戸開又は戸閉めの第２戸開指令信号，第２戸閉め信号を発生する前方戸開閉制御部１０４と、かご１が走行していて、かご１が停止する目的階の手前に達すると、かご１が停止後に前側ドア５が開放する場合には、第１戸開予告信号を発生すると共に、かご１が停止後に後ろ側ドア７が開放する場合には、第２戸開予告信号を発生する信号発生部１０６と、を備えている。
また、制御部１００は、第１戸開予告信号により第１発光器１０の第１周囲部１４を点灯制御する第１発光制御部１１２と、第２戸開予告信号により第２発光器２０の第２周囲部２４を点灯制御する第２発光制御部１１４とを備えている。
【００１４】
上記のように構成された二方口エレベータの戸開案内装置の動作を図１及び図２によって説明する。図２は、図１に示す第１及び第２発光部の動作を示すフローチャートである。
まず、第１及び第２発光器１０，２０の第１，第２中央部１２，２２の白色発光ダイオード１２ａ，２２ａを点灯してかご室３内を所定の照度に維持している。
ここで、かご１が走行していて、かご１が停止する目的階の手前に達し(ステップＳ１０１)、前方ドア５の開放を予告する第１戸開予告信号が発生すると(ステップＳ１０３)、第１発光制御部１１２は、第１発光器１０の第１周囲部１４に設けられた青色発光ダイオード１４ａを後ろ側から前側に向かって順にスクロール点灯し(ステップＳ１０５)、かご内３の乗客に視覚によって前方ドア５が開放されることを予告する。
そして、前方戸開閉制御部１０２からの第１戸開指令信号により前方ドア５が開放すると(ステップＳ１０９)、第１発光制御部１１２は、第１発光器１０の第１周囲部１４に設けられた青色発光ダイオード１４ａを消灯する(ステップＳ１１１)。
【００１５】
一方、後方ドア７の開放を予告する第２戸開予告信号が発生すると(ステップＳ１０３)、第２発光制御部１１４は、第２発光器２０の第２周囲部２４に設けられた青色発光ダイオード２４ａを前側から後ろ側に向かって順にスクロール点灯し(ステップＳ１０７)、かご室３内の乗客に視覚によって後方ドア７が開放されることを予告をする。
そして、第２発光制御部１１４は、戸開完了信号を受け取ると(ステップＳ１０９)、第２発光器２０の第２周囲部２４に設けられた青色発光ダイオード２４ａを消灯する(ステップＳ１１１)。
【００１６】
二方口エレベータは、かご１のドアが前方及び後方に開閉可能な二方向口エレベータの戸開案内装置において、かご室３内の前方から後方に沿って設けられると共に、前方から後方に順次発光可能な第1発光器１０と、かご室３内の前方から後方に沿って設けられると共に、後方から前方に順次発光可能な第２発光器２０と、かご１が停止する目的階の停止手前で発生する前方戸開予告信号に基づいて第１発光器１０の第１周囲部１４を順次発光させると共に、かご１が停止する目的階の停止手前で発生する後方戸開予告信号に基づいて第２発光器２０の第２周囲部２４を順次発光させる制御部１００と、を備えたものである。
【００１７】
上記戸開案内装置によれば、制御部１００はかご１が停止する目的階の停止手前で発生する前方戸開予告信号に基づいて第１発光器１０を順次発光させると共に、後方戸開予告信号に基づいて第２発光器２０を順次発光させるので、かご１内の利用者が視覚により前方ドア５又は後方ドア７のいずれが開放するか容易に視認できると共に、戸開案内装置の構成が簡易となる。
【００１８】
実施形態２．
本発明の他の実施形態を図３によって説明する。図３は、本発明の一実施の形態によるエレベータの二方口かごを含む戸開案内装置の全体図である。図３中、図1と同一符号は同一部分を示し、説明を省略する。
【００１９】
図３において、かご室３の天井には、第３発光手段としての第３発光器２１０が取り付けられており、第１発光器２１０は、前側ドア５及び後方ドア７の方に向かって両先端部が矢印形状に形成されていて、長方形の第３中央部２１２，第３中央部２１２と一方の縁との間に設けられると共に、前方ドア５の方向を示す矢印形状から成る第１矢印周囲部２１４と、第３中央部２１２と他方の縁との間に設けられると共に、後方ドア７を方向を示す矢印形状から成る第２矢印周囲部２１６とが設けられ、第３中央部２１２には、白色発光ダイオード２１２ａが多数設けられ、第１及び第２矢印周囲部２１４,２１６には、青色発光ダイオード２１４ａ,２１６aが多数設けられている。
【００２０】
上記のように構成された二方口エレベータの戸開案内装置の動作を図３及び図４によって説明する。図４は、図３に示す第３発光部の動作を示すフローチャートである。
まず、第３発光器２１０における第３中央部２１２の白色発光ダイオード１１２ａを点灯してかご室３内を所定の照度に維持している。
ここで、上記実施形態１に示すように、ステップＳ１０１,Ｓ１０３が実行されると、第１発光制御部１１２は、第３発光器１１０の第１矢印周囲部２１４に設けられた青色発光ダイオード１１４ａを後ろ側から前側に向かって順にスクロール点灯し(ステップＳ１０５)、かご内３の乗客に視覚によって前方ドア５が開放する予告をする。
そして、前方戸開閉制御部１０２からの第１戸開指令信号により前方ドア５が開放すると(ステップＳ１０９)、第１発光制御部１１２は、第３発光器２１０の第１矢印周囲部２１４に設けられた青色発光ダイオード２１４ａを消灯する(ステップＳ２１１)。
【００２１】
一方、後方ドア７の開放を予告する第２戸開予告信号が発生すると(ステップＳ１０３)、第２発光制御部２１４は、第３発光器２１０の第２矢印周囲部２１６に設けられた青色発光ダイオード２１６ａを前側から後ろ側に向かって順にスクロール点灯し(ステップＳ１０５)、かご室３内の乗客に視覚によって後ろ方ドア７が開放する予告をする。
そして、後方戸開閉制御部１０４からの第２戸開指令信号により後ろ方ドア７が開放すると、第２発光制御部１１４は、戸開完了信号を受け取ると(ステップＳ１０９)、第３発光器２１０の第２矢印周囲部２１６に設けられた青色発光ダイオード２１６ａを消灯する(ステップＳ２１１)。
【００２２】
上記戸開案内装置は、かご内の前方から後方に沿って設けられ、前方ドア５の方向を示す矢印形状から成る第１矢印周囲部２１４と、第３中央部２１２と他方の縁との間に設けられると共に、後方ドア７の方向を示す矢印形状から成る第２矢印周囲部２１４とが設けられた第３発光器２１０と、かご１が停止する目的階の停止手前で発生する前方戸開予告信号に基づいて第３発光器２１０の第１矢印周囲部２１４を順次発光させると共に、かご１が停止する目的階の停止手前で発生する後方戸開予告信号に基づいて第３発光器２１０の第２矢印周囲部２１６を順次発光させる制御部１００と、を備えたものである。
【００２３】
上記戸開案内装置によれば、制御部１００はかご１が停止する目的階の停止手前で発生する前方戸開予告信号に基づいて第３発光器２１０の第１矢印周囲部２１４を順次発光させると共に、後方戸開予告信号に基づいて第３発光器２１０を第２矢印周囲部２１６を順次発光させるので、かご室３内の利用者が視覚により前方ドア５又は後方ドア７のいずれが開放するか容易に視認できると共に、戸開案内装置の構成が簡易となる。
【産業上の利用可能性】
【００２４】
本発明は、二方口エレベータの戸開案内装置に適用できる。
【図面の簡単な説明】
【００２５】
【図１】本発明の一実施の形態によるエレベータの二方口かごを含む戸開案内装置の全体図である。
【図２】図１に示す第１及び第２発光器の発光動作を示すフローチャートである。
【図３】本発明の一実施の形態によるエレベータの二方口かごを含む戸開案内装置の全体図である。
【図４】図３に示す第３発光器の発光動作を示すフローチャートである。
【符号の説明】
【００２６】
５  前方ドア、７  後方ドア、  １０  第１発光器、２０  第２発光器、１００  制御部、２１０  第３発光器。
【図１】
2010137928.tif 000003
【図２】
2010137928.tif 000004
【図３】
2010137928.tif 000005
【図４】
2010137928.tif 000006